(57)【要約】【課題】  グランドラインから重畳される静電気からも内部回路を保護することができる静電気保護回路および信号線路および電源線路を提供する。【解決手段】  内部回路１０６に接続された信号線路１０２を有する回路基板の静電気保護回路１０１において、信号線路１０２とグランドライン１０３との間に接続された双方向定電圧ダイオード１０４と、双方向定電圧ダイオード１０４に直列に接続されたコンデンサ１０５とを具備するように構成する。【選択図】  図１
2007287853.tif 000002
【特許請求の範囲】
【請求項１】
内部回路に接続された信号線路を有する回路基板の静電気保護回路において、
前記信号線路とグランドとの間に接続された双方向定電圧ダイオードと、
前記双方向定電圧ダイオードに直列に接続されたコンデンサと
を具備することを特徴とする静電気保護回路。
【請求項２】
内部回路に接続された電源線路を有する回路基板の静電気保護回路において、
前記電源線路とグランドとのとの間に接続された双方向定電圧ダイオードと、
前記双方向定電圧ダイオードに直列に接続されたコンデンサと
を具備することを特徴とする静電気保護回路。
【請求項３】
内部回路に接続された信号線路において、
グランドラインとの間に接続された双方向定電圧ダイオードと、
前記双方向定電圧ダイオードに直列に接続されたコンデンサと
を具備することを特徴とする信号線路。
【請求項４】
内部回路に接続された電源線路において、
グランドラインとの間に接続された双方向定電圧ダイオードと、
前記双方向定電圧ダイオードに直列に接続されたコンデンサと
を具備することを特徴とする電源線路。
【発明の詳細な説明】
【技術分野】
【０００１】
本発明は、電子情報機器等に使用する回路基板の静電気保護を行なう静電気保護回路および信号線路および電源線路に関し、特に、グランドラインから重畳される静電気からも内部回路を保護することができる静電気保護回路および信号線路および電源線路に関する。
【背景技術】
【０００２】
電子情報機器に使用される回路基盤は、信号線路、電源線路等に重畳する静電気により内部回路を構成する素子の破損やこれによる内部回路の誤動作が発生するという問題がある。
【０００３】
このように重畳する静電気から内部回路を保護するための従来の静電気保護回路を図３を参照して説明する。
【０００４】
図３は、従来の静電気保護回路を示す回路図である。
【０００５】
図３に示す静電気保護回路においては、信号線路３０１から重畳してきた静電気をコンデンサ３０４を介してグランドライン３０２へバイパスさせ内部回路３０３への流入を防ぐ対策が取られている。
【０００６】
また、特許文献１では、信号端子に静電気が印加されたときに、該信号端子に接続されている内部回路を静電気から保護するための静電気保護回路を、インダクタンス素子やダイオード等を使用して構成する静電気保護回路が提案されている。
【特許文献１】特開２００５−１１７０００号公報
【発明の開示】
【発明が解決しようとする課題】
【０００７】
しかし、図３を参照して説明した従来の静電気防止回路では、グランドライン３０２から重畳する静電気が内部回路３０３に極めて流入しやすく、素子の破損や誤動作を引き起こす原因になっていた。
【０００８】
さらに、コンデンサ３０４のみの構成では印加された静電気の電位インパクトを信号線路３０１や内部回路３０３等が受けやすいという欠点があった。
【０００９】
また、特許文献１の発明では信号線路より重畳してきた静電気に対しては有効であったが、グランドラインから重畳した静電気に対しては内部回路を十分に保護することができず、素子の劣化、破損や誤動作を引き起こす原因となっていた。
【００１０】
そこで、この発明は、グランドラインから重畳される静電気からも内部回路を保護することができる静電気保護回路および信号線路および電源線路を提供することを目的とする。
【課題を解決するための手段】
【００１１】
上記目的を達成する為に、請求項１の発明は、内部回路に接続された信号線路を有する回路基板の静電気保護回路において、前記信号線路とグランドとの間に接続された双方向定電圧ダイオードと、前記双方向定電圧ダイオードに直列に接続されたコンデンサとを具備することを特徴とする。
【００１２】
また、請求項２の発明は、内部回路に接続された電源線路を有する回路基板の静電気保護回路において、前記電源線路とグランドとのとの間に接続された双方向定電圧ダイオードと、前記双方向定電圧ダイオードに直列に接続されたコンデンサとを具備することを特徴とする。
【００１３】
また、請求項３の発明は、内部回路に接続された信号線路において、グランドラインとの間に接続された双方向定電圧ダイオードと、前記双方向定電圧ダイオードに直列に接続されたコンデンサとを具備することを特徴とする。
【００１４】
また、請求項４の発明は、内部回路に接続された電源線路において、グランドラインとの間に接続された双方向定電圧ダイオードと、前記双方向定電圧ダイオードに直列に接続されたコンデンサとを具備することを特徴とする。
【発明の効果】
【００１５】
本発明によれば、信号線路とグランドとの間に接続された双方向定電圧ダイオードと、双方向定電圧ダイオードに直列に接続されたコンデンサとを具備するように構成したので、グランドラインから重畳される静電気からも内部回路を保護することができる。
【００１６】
さらに、本発明によれば、電源線路とグランドとのとの間に接続された双方向定電圧ダイオードと、双方向定電圧ダイオードに直列に接続されたコンデンサとを具備するように構成したので、漏れ電流を防いで消費電力を抑制することができるという効果を奏する。
【発明を実施するための最良の形態】
【００１７】
まず、本発明に係わる静電気保護回路の回路図について図１を参照して説明を行う。
【００１８】
図１は、本発明に係わる静電気保護回路１０１が接続された回路の回路図である。
【００１９】
図１に示すように、信号線路１０２と高周波的な導通のあるグランドライン１０３との間に静電気保護回路１０１が接続される。
【００２０】
なお、信号線路１０２が電源ラインであっても本発明に係わる静電気保護回路１０１は使用することができる。
【００２１】
静電気保護回路１０１は、図１に示すように、双方向タイプの定電圧ダイオード１０４とコンデンサ１０５とが直列接続される構成である。
【００２２】
双方向タイプの定電圧ダイオード１０４は向きを問わずに重畳してきた静電気電圧を一定に保持することができる。
【００２３】
その為、グランドライン１０３から静電気保護回路１０１を通して重畳される静電気を一定値以下に抑えることができる。
【００２４】
それで、静電気保護回路１０１は、信号線路１０２から重畳される静電気だけでなく、従来技術ではグランドライン１０３から静電気保護回路１０１を通して重畳される静電気を抑えて、内部回路１０６を構成する素子の劣化、破損や内部回路１０６の誤動作を防止することができる。
【００２５】
また、コンデンサ１０５は、静電気は通過させるが直流分はカットする為、双方向タイプの定電圧ダイオード１０４からの漏れ電流をカットすることができる。
【００２６】
その為、信号線路１０２が電源ラインであった場合には、消費電力を十分に抑制する効果が得られる。
【００２７】
なお、静電気保護回路１０１の双方向タイプの定電圧ダイオード１０４とコンデンサ１０５とは、信号線路１０２若しくは電源ラインとグランドライン１０３との間に直列に接続されればよく、図１に示すようにコンデンサ１０５がグランドライン１０３に接続されるのではなくて、双方向タイプの定電圧ダイオード１０４がグランドライン１０３に接続されるような位置関係の構成であってもよい。
【００２８】
次に、電子情報機器に使用される本発明に係わる静電気保護回路について図２を参照して説明する。
【００２９】
図２は、電子情報機器に使用されるコントロールパネルの回路の概略を示す図である。
【００３０】
人の指先で操作するスイッチが備え付けられた電子情報機器のコントロールパネルでは、人体を通した静電気が内部回路に流入しやすい。
【００３１】
そこで、図２に示すように双方向タイプの定電圧ダイオード２０１とコンデンサ２０２とを直列接続した静電気保護回路２０３を信号線路とグランドラインとの間に配置することで、人がスイッチ２０４を押下した時に人体を通して流入して重畳する静電気から内部回路であるＬＳＩ（Large Scale Integration）２０５を保護することができる。
【００３２】
このように、本発明に係わる静電気保護回路は、双方向タイプの定電圧ダイオードとコンデンサとが直列に接続される構成をとるので、信号線路からだけでなくグランドラインから重畳する静電気からも内部回路を保護して、さらに、省電力で機能する回路の実現を可能とする。
【産業上の利用可能性】
【００３３】
この発明は、グランドラインと高周波的な導通があり、静電気から内部回路を保護する必要のある静電気保護回路および信号線路および電源線路において利用可能である。
【００３４】
この発明によれば、グランドラインから重畳する静電気からも内部回路を保護することができる。
【図面の簡単な説明】
【００３５】
【図１】静電気保護回路１０１が接続された回路の回路図。
【図２】電子情報機器に使用されるコントロールパネルの回路の概略を示す図。
【図３】従来の静電気保護回路の回路図。
【符号の説明】
【００３６】
１０１    静電気保護回路
１０２    信号線路
１０３    グランドライン
１０４    双方向タイプの定電圧ダイオード
１０５    コンデンサ
１０６    内部回路
２０１    双方向タイプの定電圧ダイオード
２０２    コンデンサ
２０３    静電気保護回路
２０４    スイッチ
２０５    ＬＳＩ
３０１    信号線路
３０２    グランドライン
３０３    内部回路
３０４    コンデンサ
【図１】
2007287853.tif 000003
【図２】
2007287853.tif 000004
【図３】
2007287853.tif 000005